(57)【要約】【課題】  伸長長さがより長く且つ支持能力が良好なスライドレールアセンブリを提供すること。【解決手段】  スライドレールアセンブリは、第１のレールと、第２のレールと、第１のブラケットと、第２のブラケットとを含む。第２のレールは第１のレールに対して動かすことができる。第１のブラケットは第１のレールに可動に取り付けられる。第１のブラケットは第１の対象物体に取り付けられるように構成された少なくとも１つの第１の取り付け部材を含む。第２のブラケットは第１のブラケット及び第１のレールのうちの一方に可動に取り付けられる。第２のブラケットは第２の対象物体に取り付けられるように構成された少なくとも１つの第２の取り付け部材を含む。【選択図】  図３
2018187344.tif 000002
【特許請求の範囲】
【請求項１】
ラックに適用可能なスライドレールアセンブリであって、当該スライドレールアセンブリは、
第１のレールと、
前記第１のレールを前記ラックの第１のポストに取り付けるように構成された第１のブラケットであって、該第１のブラケットと前記第１のレールとはお互いに対して動かすことができる、第１のブラケットと、
前記第１のレールを前記ラックの第２のポストに取り付けるように構成された第２のブラケットであって、該第２のブラケットと前記第１のレールとはお互いに対して動かすことができる、第２のブラケットと、
前記第１のレールに対して動かすことができる第２のレールと、
を含み、
前記第１のブラケット及び前記第２のブラケットが前記第１のポスト及び前記第２のポストにそれぞれ取り付けられている場合、前記第１のレールは前記ラックに対して動かすことができる、スライドレールアセンブリ。
【請求項２】
前記第１のレールと前記第２のレールとの間に可動に取り付けられる第３のレールをさらに含み、
前記第１のレール及び前記第２のレールはそれぞれ前部及び後部を含み、
前記第２のレール及び前記第３のレールが伸長状態になるように前記第１のレールに対して第１の方向に沿って動かされると、前記第１のレールは、前記第１のレールの前部が前記第２のレールの前部と後部との間に位置するように前記ラックに対して前記第１の方向に沿って動かすことができる、請求項１に記載のスライドレールアセンブリ。
【請求項３】
少なくとも１つの回転部材をさらに含み、
前記第１のブラケット及び前記第１のレールは前記少なくとも１つの回転部材を通じてお互いに対して動かすことができ、
前記第１のブラケットは第１の支持フレームと、該第１の支持フレームに連結された少なくとも１つの第１の取り付け部材とを含み、
前記第１の支持フレームは上側支持壁と、下側支持壁と、前記第１の支持フレームの上側支持壁及び下側支持壁の間に連結された中間壁とを含み、
前記第１の支持フレームの上側支持壁、下側支持壁及び中間壁により第１の支持通路が定義され、
前記第１の支持通路は前記少なくとも１つの回転部材を収容するように構成され、
前記少なくとも１つの回転部材は前記第１の支持フレームの上側支持壁及び下側支持壁のうちの一方と当接するように構成され、
前記少なくとも１つの取り付け部材は前記第１のポストに取り付けられるように構成されている、請求項２に記載のスライドレールアセンブリ。
【請求項４】
前記第１のブラケットに設けられる係合部材をさらに含み、
前記第１のレールが前記ラックに対して前記第１の方向に沿って所定の位置に動かされると、前記係合部材は前記第１のレールが前記ブラケットに対して第２の方向に沿って移動するのを防止するために前記第１のレールと係合し、
前記第１のレールは開口を有し、前記係合部材は前記第１のブラケットに連結されるベース部と、該ベース部に対して傾斜した弾性部とを含み、
前記係合部材の弾性部は、前記第１のレールが前記所定の位置に位置している場合に前記開口と係合するように構成されている、請求項２に記載のスライドレールアセンブリ。
【請求項５】
前記第３のレール及び前記係合部材のうちの一方は係合解除部を含み、前記第３のレールは、前記第３のレールが前記伸長状態から前記第１のレールに対して前記第２の方向に沿って動かされた場合に、前記係合解除部を通じて前記第１のレールの開口から前記係合部材の弾性部を外すように構成されている、請求項４に記載のスライドレールアセンブリ。
【請求項６】
前記第２のブラケットは第２の支持フレームと、該第２の支持フレームに連結された少なくとも１つの第２の取り付け部材とを含み、該少なくとも１つの第２の取り付け部材は前記第２のポストに取り付けられるように構成され、
前記第２のブラケットの第２の支持フレームは前記第１のブラケットの第１の支持フレームに可動に取り付けられ、前記第２の支持フレームは上側支持壁と、下側支持壁と、前記第２の支持フレームの上側支持壁及び下側支持壁の間に連結された中間壁とを含み、前記第２の支持フレームの上側支持壁、下側支持壁及び中間壁により第２の支持通路が定義され、該第２の支持通路は前記第１の支持フレームを収容するように構成されている、請求項３に記載のスライドレールアセンブリ。
【請求項７】
第１のレールと、
前記第１のレールに対して動かすことができる第２のレールと、
前記第１のレールと前記第２のレールとの間に可動に取り付けられる第３のレールと、
前記第１のレールに可動に取り付けられるとともに、前記第１のレールを支持するように構成された第１のブラケットと、
前記第１のレール及び前記第１のブラケットのうちの一方に可動に取り付けられるとともに、前記第１のレールを支持するように構成された第２のブラケットと、
を含むスライドレールアセンブリ。
【請求項８】
前記第１のブラケット及び前記第１のレールは移動機構を通じてお互いに対して動かすことができ、該移動機構は少なくとも１つの回転部材を含む、請求項７に記載のスライドレールアセンブリ。
【請求項９】
前記第１のブラケットは第１の支持フレームと、該第１の支持フレームに連結された少なくとも１つの第１の取り付け部材とを含み、
前記第１の支持フレームは上側支持壁と、下側支持壁と、前記第１の支持フレームの上側支持壁及び下側支持壁の間に連結された中間壁とを含み、第１の支持フレームの上側支持壁、下側支持壁及び中間壁により第１の支持通路が定義され、
前記少なくとも１つの回転部材は前記第１の支持フレームの上側支持壁及び下側支持壁のうちの一方と当接するように構成されている、請求項８に記載のスライドレールアセンブリ。
【請求項１０】
前記第１のブラケットに設けられた係合部材をさらに含み、
前記第１のレールが前記第１のブラケットに対して第１の方向に沿って所定の位置に動かされた場合、前記係合部材は前記第１のレールが前記ブラケットに対して第２の方向に沿って移動するのを防止するために前記第１のレールと係合するように構成され、
前記第１のレールは開口を有し、前記係合部材は前記第１のブラケットに連結されるベース部と、該ベース部に対して傾斜した弾性部とを含み、
前記係合部材の弾性部は前記第１のレールが前記所定の位置に位置する場合に前記開口と係合するように構成され、
前記第３のレール及び前記係合部材のうちの一方は係合解除部を含み、
前記第３のレールは、前記第３のレールが前記第１のレールに対して前記第２の方向に沿って伸長状態から動かされた場合に前記係合解除部を通じて前記第１のレールの開口から前記係合部材の弾性部を外すように構成されている、請求項７に記載のスライドレールアセンブリ。
【発明の詳細な説明】
【技術分野】
【０００１】
本発明はスライドレールアセンブリに関し、より具体的にはラックに適用可能なスライドレールアセンブリに関する。
【背景技術】
【０００２】
図１に示すように、ラックシステムにおいて、スライドレールアセンブリは複数のスライドレール、例えばお互いに対して動かすことができる第１のレール１０２、第２のレール１０４及び第３のレール１０６を含む。第１のレール１０２の２つの部位（例えば、前部及び後部）を、第１のブラケット１０８及び第２のブラケット１１０を通じてラック１１２の第１のポスト１１４及び第２のポスト１１６にそれぞれ固定取り付けできる。さらに、第１のブラケット１０８及び第２のブラケット１１０のうちの少なくとも一方は第１のレール１０２に固定連結されているため、第１のブラケット１０８及び第２のブラケット１１０がラック１１２に固定取り付けされている場合、第１のレール１０２もラック１１２に固定取り付けされる。したがって、第２のレール１０４及び第３のレール１０６しかラック１１２に対して方向Ｄに沿って動かすことができない。そのようなスライドレールアセンブリの設計では、伸長長さをより長くするという市場の要求を満たすことができない。
【先行技術文献】
【特許文献】
【０００３】
【特許文献１】米国特許第８０２８９６５号明細書
【特許文献２】米国特許第９３２８７６９号明細書
【特許文献３】米国特許第９５０４１８１号明細書
【発明の概要】
【発明が解決しようとする課題】
【０００４】
本発明の目的は、より長い伸長長さを有するスライドレールアセンブリを提供することである。
【０００５】
本発明の他の目的は、支持能力が良好なスライドレールアセンブリを提供することである。
【課題を解決するための手段】
【０００６】
本発明の一実施形態によれば、スライドレールアセンブリはラックに適用可能である。当該スライドレールアセンブリは、第１のレールと、第１のブラケットと、第２のブラケットと、第２のレールとを含む。第１のブラケットは第１のレールをラックの第１のポストに取り付けるように構成されており、第１のブラケットと第１のレールとはお互いに対して動かすことができる。第２のブラケットは第１のレールをラックの第２のポストに取り付けるように構成されており、第２のブラケットと第１のレールとはお互いに対して動かすことができる。第２のレールは第１のレールに対して動かすことができる。第１のブラケット及び第２のブラケットが第１のポスト及び第２のポストにそれぞれ取り付けられている場合、第１のレールはラックに対して動かすことができる。
【０００７】
本発明の別の実施形態によれば、スライドレールアセンブリは、第１のレールと、第２のレールと、第３のレールと、第１のブラケットと、第２のブラケットとを含む。第２のレールは第１のレールに対して動かすことができる。第３のレールは第１のレールと第２のレールとの間に可動に取り付けられる。第１のブラケットは第１のレールに可動に取り付けられるとともに、第１のレールを支持するように構成されている。第２のブラケットは第１のレール及び第１のブラケットのうちの一方に可動に取り付けられるとともに、第１のレールを支持するように構成されている。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、ラックに取り付けられた先行技術のスライドレールアセンブリを示す図である。
【図２】図２は、本発明の一実施形態に係る、一対のスライドレールアセンブリを通じてラックに取り付けられた保持物体を示す図である。
【図３】図３は、本発明の一実施形態に係る、ラックに取り付けられた各スライドレールアセンブリを示す図であり、スライドレールアセンブリの全てのスライドレールはラックに対して第１の方向に沿って動かすことができる。
【図４】図４は、本発明の一実施形態に係るスライドレールアセンブリの分解図である。
【図５】図５は、本発明の一実施形態に係るスライドレールアセンブリを示す図である。
【図６】図６は、本発明の一実施形態に係るスライドレールアセンブリの断面図である。
【図７】図７は、本発明の一実施形態に係る、２つのブラケットを通じてラックに取り付けられたスライドレールアセンブリの第１のレールと、ラックに対して第１の方向に沿って動かされた第２のレール及び第３のレールとを示す図である。
【図８】図８は、図７の領域Ａの拡大図である。
【図９】図９は、図７の領域Ｂの拡大図である。
【図１０】図１０は、本発明の一実施形態に係る、伸長状態になるようにラックに対して第１の方向にさらに動かされたスライドレールアセンブリの第２のレール及び第３のレールを示す図である。
【図１１】図１１は、本発明の一実施形態に係る、伸長状態にあるスライドレールアセンブリの第２のレール及び第３のレールと、ラックに対して第１の方向に沿ってさらに動かされた第１のレールとを示す図である。
【図１２】図１２は、本発明の一実施形態に係る、ラックに対して伸長状態から第２の方向に沿って動かされた第２のレール及び第３のレールを示す図である。
【図１３】図１３は、本発明の一実施形態に係る、ラックに対して第２の方向に沿ってさらに動かされた第２のレール及び第３のレールを示す図である。
【図１４】図１４は、本発明の一実施形態に係る、ラックに対して第２の方向に沿ってさらに動かされた第２のレール及び第３のレールを示す図である。
【図１５】図１５は、本発明の一実施形態に係る、引っ込められたスライドレールアセンブリの全てのスライドレールを示す図である。
【発明を実施するための形態】
【００１０】
図２に示すように、本発明の一実施形態によれば、保持物体２０が一対のスライドレールアセンブリ２２を通じてラック２４に取り付けられている。保持物体２０は電子機器、シャーシ又は引き出しであり得るが、本発明はそれらに限定されない。ラック２４は一対の第１のポスト２６ａ及び一対の第２のポスト２６ｂを含む。各スライドレールアセンブリ２２は対応する第１のポスト２６ａ及び第２のポスト２６ｂに第１のブラケット２８及び第２のブラケット３０を通じてそれぞれ取り付けられるように構成されている。例えば、第１のブラケット２８は第１のポスト２６ａの取り付け孔Ｈを通じてラック２４に固定でき、第２のブラケット３０は第２のポスト２６ｂの取り付け孔Ｈを通じてラック２４に固定できる。
【００１１】
図３に示すように、スライドレールアセンブリ２２は第１のレール３２及び第２のレール３４を含む。第２のレール３４は第１のレール３２に対して可動であり、保持物体２０を保持するように構成されている。スライドレールアセンブリ２２は、第１のレール３２と第２のレール３４との間で可動に取り付けられ、第１のレール３２に対する第２のレール３４の移動距離を伸長するように構成された第３のレール３６をさらに含むことが好ましい。第１のブラケット２８及び第２のブラケット３０は、第１のレール３２を第１のポスト２６ａ及び第２のポスト２６ｂにそれぞれ取り付けるように構成されている。第１のブラケット２８及び第２のブラケット３０が第１のポスト２６ａ及び第２のポスト２６ｂにそれぞれ取り付けられている場合、第１のレール３２、第２のレール３４及び第３のレール３６は第１のポスト２６ａ（又は第１のブラケット２８）及び第２のポスト２６ｂ（又は第２のブラケット３０）に対して動かすことができる。本実施形態では、第１のレール３２、第２のレール３４及び第３のレール３６は、第１のポスト２６ａ及び第２のポスト２６ｂに対して第１の方向Ｄ１（例えば開く方向）に沿って動かすことができる。第２のレール３４及び第３のレール３６が完全に伸長した状態になるように第１のレール３２に対して第１の方向Ｄ１に沿って動かされると、第１のレール３２は、スライドレールアセンブリ２２の伸長長さを増やすとともに、第２のレール３４及び第３のレール３６に対してより良好な支持を提供するために第１のポスト２６ａ及び第２のポスト２６ｂに対して第１の方向Ｄ１に沿ってさらに動かすことができる。即ち、第１のレール３２がラック２４に対して第１の方向Ｄ１に沿って動かされると、第１のレール３２は保持物体２０に対する第２のレール３４及び第３のレール３６の保持強度を改善させることができる。第１のブラケット２８及び第２のブラケット３０が第１のポスト２６ａ及び第２のポスト２６ｂにそれぞれ取り付けられている場合、第１のレール３２は、第２のレール３４及び第３のレール３６の移動距離を増やすために第１のポスト２６ａ及び第２のポスト２６ｂに対して第１の方向Ｄ１に沿って動かすことができる。
【００１２】
図４及び図５に示すように、第１のレール３２は第１の壁３８ａ、第２の壁３８ｂ及び第１のレール３２の第１の壁３８ａと第２の壁３８ｂとの間に連結された長手壁４０を含む。第１のレール３２の第１の壁３８ａ、第２の壁３８ｂ及び長手壁４０によって第１の通路４２が定義されている。加えて、第１のレール３２は前部４３ａ及び後部４３ｂを有する。
【００１３】
第３のレール３６は第１のレール３２に対して可動に第１の通路４２内に取り付けられている。具体的には、第３のレール３６は第１の壁４４ａ、第２の壁４４ｂ及び第３のレール３６の第１の壁４４ａと第２の壁４４ｂとの間に連結された長手壁４６を含む。第３のレール３６の第１の壁４４ａ、第２の壁４４ｂ及び長手壁４６によって第２の通路４８が定義されている。加えて、第３のレール３６は前部４９ａ及び後部４９ｂを有する。
【００１４】
第２のレール３４は第３のレール３６に対して可動に第２の通路４８内に取り付けられている。具体的には、第２のレール３４は第１の壁５０ａ、第２の壁５０ｂ及び第２のレール３４の第１の壁５０ａと第２の壁５０ｂとの間に連結された長手壁５２を含む。加えて、第２のレール３４は前部５３ａ及び後部５３ｂを有する。
【００１５】
第１のブラケット２８及び第１のレール３２は互いに対して動かすことができる。本実施形態では、第１のブラケット２８は第１のレール３２に対して可動である。具体的には、第１のブラケット２８及び第１のレール３２は移動機構５４を通じてお互いに対して動かすことができる。移動機構５４は複数の回転部材を含むことが好ましい。本実施形態では、移動機構５４は、第１のレール３２に設けられた第１の回転部材５４ａ及び第２の回転部材５４ｂを含む。第１の回転部材５４ａは第１のレール３２の外側且つ第１のレール３２の第１の壁３８ａに隣接して設けられている。第２の回転部材５４ｂは第１のレール３２の外側且つ第１のレール３２の第２の壁３８ｂに隣接して設けられている。他方、第１のブラケット２８は第１の支持フレーム５６と、第１の支持フレーム５６に連結された少なくとも１つの第１の取り付け部材５８とを含む。例えば、少なくとも１つの第１の取り付け部材５８は、第１の部品５９を通じて第１の支持フレーム５６に（リベット留め又は溶接等により）固定接続されている。第１の支持フレーム５６は上側支持壁６０ａ、下側支持壁６０ｂ及び第１の支持フレーム５６の上側支持壁６０ａと下側支持壁６０ｂとの間に連結された中間壁６２を含む。第１の支持フレーム５６の上側支持壁６０ａ及び下側支持壁６０ｂは、第１の回転部材５４ａ及び第２の回転部材５４ｂにそれぞれ当接するように構成されている。スライドレールアセンブリ２２は第１のブラケット２８に設けられた係合部材６４をさらに含むことが好ましい。係合部材６４は第１のブラケット２８の第１の支持フレーム５６に（例えばリベット留め又は溶接により）固定連結されたベース部６６と、ベース部６６に連結され、ベース部６６に対して傾斜された弾性部６８とを含む。他方、第１のレール３２の長手壁４０は、係合部材６４の弾性部６８と協働するように構成された開口７０を有する。
【００１６】
第２のブラケット３０は第１のレール３２及び／又は第１のブラケット２８に対して動かすことができる。本実施形態では、第２のブラケット３０は第１のブラケット２８に可動に取り付けられている。具体的には、第２のブラケット３０は第２の支持フレーム７２と、第２の支持フレーム７２に連結された少なくとも１つの第２の取り付け部材７４とを含む。例えば、少なくとも１つの第２の取り付け部材７４は、第２の部品７５を通じて第２の支持フレーム７２に（リベット留め又は溶接等により）固定接続されている。第２の支持フレーム７２は、第１のブラケット２８の第１の支持フレーム５６に可動に取り付けられている。第２の支持フレーム７２は、上側支持壁７６ａ、下側支持壁７６ｂ及び第２の支持フレーム７２の上側支持壁７６ａと下側支持壁７６ｂとの間に連結された中間壁７８を含む。別の実施形態では、第２のブラケット３０は第１のレール３２に可動に取り付けることができるが、本発明はそのような構成に限定されない。第２のブラケット３０は第１の制限部８０ａを含み、第１の制限部８０ａは第１のレール３２の第２の制限部８０ｂに対応する。本実施形態では、第１の制限部８０ａ及び第２の制限部８０ｂは凸状構造である。
【００１７】
図６に示すように、スライドレールアセンブリ２２の第３のレール３６は第１のレール３２の第１の通路４２内に取り付けられ、第２のレール３４は第３のレール３６の第２の通路４８内に取り付けられている。スライドレールアセンブリ２２は、第１のレール３２に対する第３のレール３６の動きの滑らかさを改善するために、第３のレール３６と第１のレール３２との間に設けられた第１のボールリテーナ８２をさらに含むことが好ましい。スライドレールアセンブリ２２は、第２のレール３４と第３のレール３６との間の相対的な動きの滑らかさを改善するために、第２のレール３４と第３のレール３６との間に設けられた第２のボールリテーナ８４をさらに含むことが好ましい。
【００１８】
第１のブラケット２８の第１の支持フレーム５６の上側支持壁６０ａ、下側支持壁６０ｂ及び中間壁６２により第１の支持通路８６が定義されている。第１の支持通路８６は第１の回転部材５４ａ及び第２の回転部材５４ｂを収容するように構成されている。第１の回転部材５４ａ及び第２の回転部材５４ｂは、第１のレール３２を支持するとともに、第１のブラケット２８に対する第１のブラケット３２の動きの滑らかさを改善させるために、第１のブラケット２８の第１の支持フレーム５６の上側支持壁６０ａ及び下側支持壁６０ｂにそれぞれ当接するように構成されている。第１のブラケット２８は、第１の回転部材５４ａ及び第２の回転部材５４ｂをそれぞれ支持するために、第１のブラケット２８の上側支持壁６０ａ及び下側支持壁６０ｂに対してそれぞれ屈曲した第１の延長壁８８ａ及び第２の延長壁８８ｂをさらに含むことが好ましい。他方、第２のブラケット３０の第２の支持フレーム７２の上側支持壁７６ａ、下側支持壁７６ｂ及び中間壁７８により第２の支持通路９０が定義されている。第２の支持通路９０は、第２のブラケット３０を第１のブラケット２８及び／又は第１のレール３２に対して動かすことができるように第１のブラケット２８の第１の支持フレーム５６を収容及び支持するように構成されている。第２のブラケット３０は、第１のブラケット２８の第１の延長壁８８ａ及び第２の延長壁８８ｂをそれぞれ支持するために、第２のブラケット３０の上側支持壁７６ａ及び下側支持壁７６ｂに対してそれぞれ屈曲する第１の延長壁９２ａ及び第２の延長壁９２ｂをさらに含むことが好ましい。
【００１９】
図７及び図８に示すように、第１のブラケット２８及び第２のブラケット３０は、少なくとも１つの第１の取り付け部材５８及び少なくとも１つの第２の取り付け部材７４を通じてラック２４の第１のポスト２６ａ（又は第１の対象物体ともいう）及び第２のポスト２６ｂ（又は第２の対象物体ともいう）にそれぞれ取り付けられている。他方、移動機構５４（第１の回転部材５４ａ等）は、第１のブラケット２８に対する第１のレール３２の動きを支援するように構成されている。第１のブラケット２８及び第２のブラケット３０が第１のポスト２６ａ及び第２のポスト２６ｂにそれぞれ取り付けられている場合、第２のレール３４及び第３のレール３６は、ラック（又は第１のポスト２６ａ及び第２のポスト２６ｂ）及び第１のレール３２に対して第１の方向Ｄ１に沿って動かすことができる。
【００２０】
図７及び図９に示すように、第２のレール３４が第１のレール３２に対して第１の位置Ｐ１に動かされると、第２のレール３４の後部５３ｂが第１のレール３２の前部４３ａから第１の距離Ｌ１越える。
【００２１】
図１０に示すように、第２のレール３４がラック２４に対して（又は第１のポスト２６ａ及び第２のポスト２６ｂ）に対して第１の方向Ｄ１に沿って第２の位置Ｐ２に動かされると、第２のレール３４の後部５３ｂは、第１の距離Ｌ１よりも大きい第２の距離Ｌ２第１のレール３２の前部４３ａから越える。第２のレール３４が第２の位置Ｐ２に位置している場合、第２のレール３４及び第３のレール３６は第１のレール３２に対して完全に伸長した状態にある。
【００２２】
図１１に示すように、第２のレール３４及び第３のレール３６が完全に伸長した状態にある場合、第１のレール３２は、第1のレール３２が所定の位置Ｘに達するまで、移動機構５４を通じて第１のブラケット２８又はラック２４に対して第１の方向Ｄ１に沿ってさらに動かすことができる。第１のレール３２が所定の位置Ｘに達すると、第１のレール３２の第１の部分４３ａは第２のレール３４の前部５３ａと後部５３ｂとの間に位置する。したがって、第２のレール３４の後部５３ｂは、第２のレール３４（及び第３のレール３６）に対する第１のレール３２の支持強度を改善するために、もはや第１のレール３２の前部４３ａから所定の距離（第１の距離Ｌ１又は第２の距離Ｌ２）越えていない。即ち、第１のレール３２が第１の方向Ｄ１に沿ってさらに動かされると、第２のレール３４（及び第３のレール３６）を保持する第１のレール３２の量（又は範囲）を増やすことができる。
【００２３】
図１２に示すように、第２のレール３４及び第３のレール３６が第１のレール３２に対して完全に伸長した状態にあり、第１のレール３２が第１のブラケット２８に対して所定の位置Ｘにさらに動かされた場合、係合部材６４の弾性部６８は、第１のレール３２が第２の方向Ｄ２（例えば引っ込められる方向）に沿って移動するのを防止するために第１のレール３２の開口７０と係合するように構成されている。そのため、第１のレール３２の前部４３ａを第２のレール３４の前部５３ａと後部５３ｂとの間で一時的に保持することができる。第３のレール３６及び係合部材６４のうちの一方が係合解除部９４を含むことが好ましい。本実施形態では、係合部材６４の弾性部６８が係合解除部９４を有し、係合解除部９４は傾斜面又は弧面を有する。
【００２４】
図１３、図１４及び図１５に示すように、第３のレール３６が伸長状態から第１のレール３２に対して第２の方向Ｄ２に沿って動かされると、第３のレール３６の一部（例えば後部４９ｂ）は、係合解除部９４を通じて係合部材６４の弾性部６８を第１のレール３２の開口７０から外すために、係合部材６４の弾性部６８を駆動してベース部６６に対して偏向させるように構成されている。そのため、第１のレール３２は、第１のレール３２、第２のレール３４及び第３のレール３６が引っ込められるまで第１のブラケット２８に対して第２の方向Ｄ２に沿って動かすことができる。
【００２５】
したがって、本発明のスライドレールアセンブリ２２は下記のように特徴付けられる。
【００２６】
１）第１のブラケット２８及び第１のレール３２は互いに対して動かすことができ、第２のブラケット３０は第１のレール３２（又は第１のブラケット２８）に対しても動かすことができる。
【００２７】
２）第１のレール３２が第１のブラケット２８及び第２のブラケット３０を通じてラック２４（又は対象物体）に取り付けられている場合、第１のレール３２は、第１のレール３２の他のレール（第２のレール又は第３のレール等）に対する支持強度を改善するためにラック２４に対して第１の方向Ｄ１に沿って動かすことができる。加えて、第１のレール３２はラック２４に対して第１の方向Ｄ１に沿って動かすことができるため、第２のレール３４及び第３のレール３６の移動距離を増やすことができる。
【００２８】
３）第１のブラケット２８及び第１のレール３２は、第１のレール３２と第１のブラケット２８とを互い動かすのを支援するために第１の回転部材５４ａ及び第２の回転部材５４ｂを通じて互いに対して動かすことができる。
【００２９】
４）第２のレール３４及び第３のレール３６が第１のレール３２に対して伸長状態にあり、第１のレール３２が所定の位置Ｘにさらに動かされた場合、係合部材６４は、第１のレール３２が第１のブラケット２８に対して第２の方向Ｄ２に沿って動かされるのを防止するために第１のレール３２と係合するように構成されている。
【００３０】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３１】
２０  保持物体
２２  スライドレールアセンブリ
２４  ラック
２６ａ  第１のポスト
２６ｂ  第２のポスト
２８  第１のブラケット
３０  第２のブラケット
３２  第１のレール
３４  第２のレール
３６  第３のレール
４２  第1の通路
４８  第２の通路
５４ａ  第１の回転部材
５４ｂ  第２の回転部材
５６  第１の支持フレーム
５８  第１の取り付け部材
６４  係合部材
６６  ベース部
６８  弾性部
７０  開口
７２  第２の支持フレーム
７４  第２の取り付け部材
【図１】
2018187344.tif 000003
【図２】
2018187344.tif 000004
【図３】
2018187344.tif 000005
【図４】
2018187344.tif 000006
【図５】
2018187344.tif 000007
【図６】
2018187344.tif 000008
【図７】
2018187344.tif 000009
【図８】
2018187344.tif 000010
【図９】
2018187344.tif 000011
【図１０】
2018187344.tif 000012
【図１１】
2018187344.tif 000013
【図１２】
2018187344.tif 000014
【図１３】
2018187344.tif 000015
【図１４】
2018187344.tif 000016
【図１５】
2018187344.tif 000017